(57)【要約】【課題】  物干し用のハンガーを室内の壁や柱等に十分な間隔を保って簡単に吊り掛けることができ、しかも、不使用時には通行の邪魔にならないように簡単に収納することができる、折り畳み式のハンガー掛けを得る。【解決手段】  折り畳み式ハンガー掛けが、壁や柱等の取付対象（Ｗ）に固定するための取付部材（１）と、該取付部材（１）に起倒自在に連結され、先端部にハンガー（Ｈ）を吊り掛けるための吊掛部（３）を有する吊掛アーム（２）と、これらの取付部材（１）と吊掛アーム（２）とに両端を連結され、該吊掛アーム（２）がハンガー吊掛位置（Ａ）に延出したときの延出角度を規定する引張部材（４）とを有する。【選択図】        図１
2005046586.tif 000002
【特許請求の範囲】
【請求項１】
壁や柱等の取付対象に固定するための縦方向に細長い取付部材、
基端部を上記取付部材に支軸で回転自在に連結されると共に、先端部分にハンガーを吊り掛けるための少なくとも１つの吊掛部を有し、上記支軸を中心に回転させることにより、上記取付部材から斜め前方に向けて延出するハンガー吊掛位置と、上記取付部材と重なり合う収納位置とに起倒自在の吊掛アーム、
上記吊掛アームと取付部材とに両端を連結され、該吊掛アームがハンガー吊掛位置に延出したときの延出角度を規定する引張部材、
を有することを特徴とする折り畳み式ハンガー掛け。
【請求項２】
上記取付部材が、取付対象に固定するための取付ベースと、この取付ベースに該取付ベースの軸線と平行な軸線の回りに回転自在に取り付けられたアーム支持部材とを有し、このアーム支持部材に上記吊掛アームが連結されていることを特徴とする請求項１に記載のハンガー掛け。
【請求項３】
上記吊掛アームが、上記取付部材側の側面が開放する溝形断面を有していて、該吊掛アームを収納位置に回動させたときこの吊掛アームの内部に上記取付部材の少なくとも一部が収まるように構成されていることを特徴とする請求項１又は２に記載のハンガー掛け。
【請求項４】
上記吊掛アームの吊掛部が、孔又は窪みあるいは頂部に窪みを有する変形孔の何れかで形成されていることを特徴とする請求項１から３の何れかに記載のハンガー掛け。
【請求項５】
上記引張部材が硬質のリンク状部材からなっていて、該引張部材の一端が、上記取付部材又は吊掛アームの何れか一方の部材に回動自在に連結されると共に、該引張部材の他端が、他方の部材に軸線方向にスライド自在なるように係合していることを特徴とする請求項１から４の何れかに記載のハンガー掛け。
【発明の詳細な説明】
【技術分野】
【０００１】
本発明は、洗濯物を吊り下げた物干し用のハンガーを、室内の壁や柱等に吊り掛けるためのハンガー掛けに関するものであり、特に、折り畳み式のハンガー掛けに関するものである。
【背景技術】
【０００２】
例えば、出勤などによる外出時に、洗濯物を室外に干したまま出かけることができない場合には、室内の適当な場所に干しておかなければならない。このような場合に、洗濯物の乾燥をできるだけ迅速かつ効率良く進行させるには、日当たりの良い窓際や風通しの良い廊下などに、壁や柱等を利用して吊り掛けるのが望ましい。
【０００３】
ところが、物干し用のハンガーは通常、矩形や円形のハンガーフレームに複数のピンチを吊り下げた形をしているため、壁や柱等に釘やフック等を取り付けてそれに吊り掛けた場合、ハンガーフレームが壁や柱等に当たり、真っ直ぐ吊り下げることができない。そればかりか、壁や柱が上記ハンガーフレームで傷付けられたり、洗濯物で濡れるなどの問題もある。
【発明の開示】
【発明が解決しようとする課題】
【０００４】
本発明の技術的課題は、物干し用のハンガーを室内の壁や柱等に十分な間隔を保って簡単に吊り掛けることができ、しかも、不使用時には通行の邪魔にならないように簡単に収納することができる、折り畳み式のハンガー掛けを提供することにある。
【課題を解決するための手段】
【０００５】
上記課題を解決するため、本発明のハンガー掛けは、壁や柱等の取付対象に固定するための縦方向に細長い取付部材、基端部を上記取付部材に支軸で回転自在に連結されると共に、先端部分にハンガーを吊り掛けるための少なくとも１つの吊掛部を有し、上記支軸を中心に回転させることにより、上記取付部材から斜め前方に向けて延出するハンガー吊掛位置と、上記取付部材と重なり合う収納位置とに起倒自在の吊掛アーム、上記吊掛アームと取付部材とに両端を連結され、該吊掛アームがハンガー吊掛位置に延出したときの延出角度を規定する引張部材、を有することを特徴とするものである。
【０００６】
本発明の１つの具体的な構成態様によれば、上記取付部材が、取付対象に固定するための取付ベースと、この取付ベースに該取付ベースの軸線と平行な軸線の回りに回転自在に取り付けられたアーム支持部材とを有し、このアーム支持部材に上記吊掛アームが連結されている。
【０００７】
本発明の他の具体的な構成態様によれば、上記吊掛アームが、上記取付部材側の側面が開放する溝形断面を有していて、該吊掛アームを収納位置に回動させたときこの吊掛アームの内部に上記取付部材の少なくとも一部が収まるように構成されている。
【０００８】
本発明において好ましくは、上記吊掛アームの吊掛部が、孔、又は窪み、あるいは頂部に窪みを有する変形孔の、何れかで形成されていることである。
【０００９】
また、本発明においては、上記引張部材が硬質のリンクからなっていて、この引張部材の一端が、上記取付部材又は吊掛アームの何れか一方の部材に回動自在に連結されると共に、該引張部材の他端が、他方の部材に軸線方向にスライド自在なるように係合していることが望ましい。
【発明の効果】
【００１０】
本発明のハンガー掛けは、取付部材を壁面や柱等に釘や両面接着テープ等で固定し、上記吊掛アームをハンガー吊掛位置に延出させた状態で、その先端の吊掛部に物干し用のハンガーを吊り掛けるようにする。これにより、上記ハンガーを壁や柱との間に十分な間隔を保って簡単に吊り掛けることができる。
また、不使用時には、上記吊掛アームを取付部材と重なり合う収納位置に回転させることにより、通行の邪魔にならないようにコンパクトに収納することができる。
【発明を実施するための最良の形態】
【００１１】
図１〜図３は、本発明に係るハンガー掛けの第１実施例を示すものである。このハンガー掛け１００Ａは、全体が合成樹脂又は金属等の硬質の素材からなっていて、図１及び図３から分かるように、壁や柱等の取付対象Ｗに固定するための縦方向に細長い取付部材１と、この取付部材１に起倒自在に連結され、先端部分に物干し用ハンガーＨを吊り掛けるための吊掛部３を有する吊掛アーム２と、この吊掛アーム２をハンガー吊掛位置Ａに延出させた時の延出角度を規定する引張部材４とで構成されている。
【００１２】
上記取付部材１は、実質的に一定幅を有する細長い平板状をした取付ベース１０と、この取付ベース１０に取り付けられたアーム支持部材１１とからなっている。このアーム支持部材１１は、左右の側壁１１ａ，１１ａと底壁１１ｂとを有するＵ字形断面の溝形部材からなるもので、その溝開口を上記吊掛アーム２側に向けると共に、底壁１１ｂを上記取付ベース１０側に向けた状態で該取付ベース１０と平行に配置され、該取付ベース１０の内側面の上下端に設けられた一対の連結壁１２ａ，１２ｂに、該取付ベース１０の軸線と平行な軸線Ｌの回りに回転自在なるように取り付けられている。
【００１３】
即ち、上記アーム支持部材１１の上端部近くの位置には、両側壁１１ａ，１１ａに切り込み１４が底壁１１ｂ側から軸線Ｌと直交する向きに形成されていて、この切り込み１４内に上方の連結壁１２ａが嵌合し、一方、上記アーム支持部材１１の下端は、下方の連結壁１２ｂ上に載置されていて、これらの連結壁１２ａ，１２ｂに設けた支持孔内に、アーム支持部材１１に形成した連結軸１３を回転自在に嵌合させることにより、これらの取付ベース１０とアーム支持部材１１とが回転自在に結合されている。
【００１４】
上記吊掛アーム２は、先端側にハンガーを吊り掛けるための上記吊掛部３を有し、基端側が、上記アーム支持部材１１の下端部に上記軸線Ｌと直交する支軸１６、即ち水平な支軸１６によって回転自在に連結されている。そして、この支軸１６を中心に回転させることにより、上記アーム支持部材１１から斜め前方に向けて延出する図１の上記ハンガー吊掛位置Ａと、該アーム支持部材１１と重なり合う図２の収納位置Ｂとに起倒自在となっている。
【００１５】
上記吊掛部３は、円形をした孔３ａで構成されているが、孔の形状はこれに限定されない。例えば楕円や矩形など、ハンガーの吊金具を掛けられるものであればどのような形をしていても良く、図４に示すような、孔の頂部即ち上端部に凹部３ｃを有する変形孔３ｂであっても良い。この図４の場合には、孔３ｂと凹部３ｃの何れか一方又は両方にハンガーＨを吊り掛けることができる。あるいは、図５に示すような弧状その他の窪み３ｄであっても良い。また、上記吊掛部３は、吊掛アーム２の軸線方向又は該軸線と直交する方向に沿って複数設けることもできる。
【００１６】
また、上記吊掛アーム２は、左右の側壁２ａ，２ａと底壁２ｂとを有する溝形断面を有するもので、その溝開口を上記アーム支持部材１１側に向けて配設され、該吊掛アーム２を収納位置Ｂに回動させたとき、この吊掛アーム２の内部に上記アーム支持部材１１が収まるように構成されている。この場合、該アーム支持部材１１の少なくとも一部が吊掛アーム２内に収まるようになっていれば良いが、好ましくはアーム支持部材１１全体が収まることであり、より好ましくは、アーム支持部材１１と取付ベース１０、即ち取付部材１が全体として収まるようになっていることである。これにより、ハンガー掛けの不使用時に、該ハンガー掛けを壁面や柱等から取り外すことなく、上記吊掛アーム２を通行の邪魔にならないようにコンパクトに収納することができる。
【００１７】
上記吊掛アーム２を収納位置Ｂに係止させてその収納姿勢を安定化させるため、上記アーム支持部材１１には、その上端部寄りの位置に、該アーム支持部材１１の側壁１１ａ，１１ａの一部を切り欠くことによって左右一対の弾性係止片１８，１８が形成され、各係止片１８の先端部外面にそれぞれ突起１８ａが設けられている。これに対して上記吊掛アーム２には、左右の側壁２ａ，２ａの内側面にそれぞれ上記突起１８ａが摺動する凹溝１９が形成されると共に、各凹溝１９の端部にそれぞれ上記突起１８ａが係止する図示しない凹部が形成されている。そして、この吊掛アーム２を収納位置Ｂに向けて回動させたとき、上記突起１８ａが各凹溝１９内を摺動し、収納位置Ｂに到達したところで上記凹部に弾性的に係止する。
【００１８】
また、上記引張部材４は、リンク状の部材からなっていて、該引張部材４の先端部が上記吊掛アーム２の内部先端寄りの位置に挿入され、軸２１で両側壁２ａ，２ａに回動自在に連結されると共に、該引張部材４の基端部が、上記アーム支持部材１１の内部に挿入され、両側壁１１ａ，１１ａに軸線方向に形成された長溝状の係止溝２２内に軸２３によってスライド自在に係合し、該アーム支持部材１１の軸線方向に変移できるようになっている。そして、上記吊掛アーム２が図１のハンガー吊掛位置Ａにあるときは、上記軸２３が上記係止溝２２の上端部に係止することによって該吊掛アーム２の延出角度が規定され、該吊掛アーム２を収納位置Ｂに向けて回動させると、上記軸２３が上記係止溝２２内を下方に変移し、該吊掛アーム２の回動が円滑に行われるようになっている。なお、この引張部材４は、上記吊掛アーム２の延出角度を規定する機能の他に、該吊掛アーム２に加わる洗濯物の荷重を支持する補強部材としての機能をも有するものである。
【００１９】
上記係止溝２２の下端部近くには、該係止溝２２をアーム支持部材１１の外部に連通させる補助溝２２ａが両側壁１１ａ，１１ａの内面に形成され、この補助溝２２ａを通じて上記軸２３を係止溝２２から抜き取ることにより、上記引張部材４の基端部をアーム支持部材１１から取り外すことができるようになっている。これにより、該引張部材４や上記吊掛アーム２等が破損した場合の交換を行うことができる。
【００２０】
上記構成を有するハンガー掛け１００Ａは、図３に示すように、取付部材１の取付ベース１０を壁面や柱等の取付対象Ｗに釘や両面接着テープ等で固定し、上記吊掛アーム２をハンガー吊掛位置Ａに延出させた状態で、その先端の吊掛部３に物干し用のハンガーＨを吊り掛けるようにする。これにより、上記ハンガーＨを壁や柱との間に十分な間隔を保って簡単に吊り掛けることができる。
【００２１】
このとき、上記引張部材４の基端部の軸２３が上記係止溝２２の上端部に係止することにより、該吊掛アーム２の延出角度が規定されると共に、該吊掛アーム２の支持力がこの引張部材４によって補強される。また、この状態で、人がハンガーや吊掛アーム２に接触したり、風で洗濯物があおられたりした場合には、上記アーム支持部材１１が鉛直軸線Ｌの回りに自由に回動してその力が吸収され、吊掛アーム２が破損したり外れたりするのが防止される。
【００２２】
上記ハンガー掛けを使用しない時は、図２のように、上記吊掛アーム２を取付部材１と重なり合う収納位置Ｂに回転させることにより、通行の邪魔にならないようにコンパクトに収納することができる。
【００２３】
図６〜図８は本発明の第２実施例を示すもので、この第２実施例のハンガー掛け１００Ｂが上記第１実施例のハンガー掛け１００Ａと異なる主要な点は、第１実施例では、引張部材４の先端部が吊掛アーム２に回動自在に連結され、基端部がアーム支持部材１１にスライド自在に係合しているのに対し、この第２実施例では、その逆に、引張部材４の基端部がアーム支持部材１１に回動自在に連結され、先端部が吊掛アーム２にスライド自在に係合している点である。
【００２４】
即ち、上記アーム支持部材１１の左右両側壁１１ａ，１１ａには、軸線方向の中央位置よりやや下方寄りの相対する位置に、やや縦長をした一対の支持孔２５が形成され、この支持孔２５内に、上記引張部材４の基端部が軸２１で回動自在に支持されている。また、上記吊掛アーム２における両側壁２ａ，２ａの内面には、その底壁２ｂ寄りの位置に、該吊掛アーム２の長手方向に延びる一対の係止溝２２が形成され、この係止溝２２に、上記引張部材４の先端部が、軸２３でスライド自在に係合している。上記係止溝２２は、吊掛アーム２の中央部よりもやや先端部寄りの位置に形成されており、しかも、該吊掛アーム２の側壁２ａ，２ａの内面側だけに形成されていて、これらの側壁２ａ，２ａを貫通していない。
【００２５】
従って、上記吊掛アーム２を図７に示すハンガー吊掛位置Ａに倒した時は、上記引張部材４の先端部が上記係止溝２２内を下方に移動して該係止溝２２の下端部に係止し、該吊掛アーム２がこの引張部材４によって上記ハンガー吊掛位置Ａに支持される。また、上記吊掛アーム２を図８に示す収納位置Ｂに回動させると、上記引張部材４の先端部が上記係止溝２２内を上方に摺動し、該吊掛アーム２が取付部材１と重なり合った状態に収納される。
【００２６】
また、この第２実施例においては、上記取付部材１における取付ベース１０とアーム支持部材１１とが、上下両端の位置で連結壁１２ａ，１２ｂと連結軸１３とによって回転自在に結合されているだけでなく、中間位置においても同様に連結壁１２ｃと連結軸１３とで結合されているという点で、上記第１実施例と相違している。即ち、上記アーム支持部材１１の両側壁１１ａ，１１ａには、上記引張部材４の基端部を支持する支持孔２５の下方の該支持孔２５に近接する位置に、切り込み１４が形成され、この切り込み１４内に取付ベース１０から延出する連結壁１２ｃが嵌合し、この連結壁１２ｃの支持孔内に、アーム支持部材１１に形成した連結軸１３が回転自在に嵌合し、これによって上記取付ベース１０とアーム支持部材１１とが、上中下の３箇所で回転自在に結合されている。
【００２７】
かくして、上記取付ベース１０とアーム支持部材１１とを上記引張部材４の支持位置の近くで相互に結合すると、上記吊掛アーム２に物干し用のハンガーＨを吊り掛けることによってアーム支持部材１１の中間位置に上記引張部材４を通じて大きな負荷が加わった場合でも、該アーム支持部材１１が撓んで変形したり破損したりするのを確実に防止することができ、ハンガー掛けの耐久性が高まる。
【００２８】
更に、この第２実施例においては、上記吊掛アーム２の先端の吊掛部３が、図４に示すような構造をしている点でも第１実施例と相違しているが、この吊掛部３の構造は第１実施例と同じであっても良いことはもちろんである。
【００２９】
第２実施例の上述した構成以外の構成やその好ましい変形例等については、上記第１実施例と実質的に同じであるから、それらの主要な同一構成部分に第１実施例と同じ符号を付してその説明は省略することとする。
【００３０】
なお、上記各実施例では、取付部材１の取付ベース１０を、壁面や柱等の取付対象Ｗに釘や両面接着テープ等で固定するようにしているが、この取付ベース１０の上端や裏面などの適宜位置にフックを取り付け、このフックで壁や柱等の取付対象に係止させるようにすることもできる。
また、上記引張部材４が、硬質のリンク状部材によって形成されているが、この引張部材４は、紐や鎖等の屈曲自在の柔軟性部材で形成しても良い。この場合には、上記係止溝２２は特に設ける必要がない。
【００３１】
更に、上記ハンガー掛けを、人が接触しにくい場所や風で洗濯物が大きくあおられることが無いような場所に設置する場合には、必ずしも上記アーム支持部材１１を回動自在とする必要はなく、該アーム支持部材１１と取付ベース１０とが一体に形成されるか、あるいは相互に固定されていても良い。
【図面の簡単な説明】
【００３２】
【図１】本発明に係るハンガー掛けの第１実施例を示すもので、吊掛アームをハンガー吊掛位置に延出させて示す斜視図である。
【図２】図１のハンガー掛けを、吊掛アームを収納位置に回動させて示す斜視図である。
【図３】図１のハンガー掛けの使用状態の側面図である。
【図４】吊掛部の他の例を示す部分側面図である。
【図５】吊掛部の更に他の例を示す部分側面図である。
【図６】本発明に係るハンガー掛けの第２実施例を示すもので、吊掛アームをハンガー吊掛位置に延出させて示す斜視図である。
【図７】図６の断面図である。
【図８】図６のハンガー掛けを、吊掛アームを収納位置に回動させて示す断面図である。
【符号の説明】
【００３３】
１００Ａ，１００Ｂ      ハンガー掛け
１      取付部材
２      吊掛アーム
３      吊掛部
３ａ      孔
３ｂ      変形孔
３ｃ      凹部
３ｄ      窪み
１０      取付ベース
１１      アーム支持部材
Ｗ      取付位置
Ｈ      ハンガー
Ｌ      軸線
Ａ      ハンガー吊掛位置
Ｂ      収納位置
【図１】
2005046586.tif 000003
【図２】
2005046586.tif 000004
【図３】
2005046586.tif 000005
【図４】
2005046586.tif 000006
【図５】
2005046586.tif 000007
【図６】
2005046586.tif 000008
【図７】
2005046586.tif 000009
【図８】
2005046586.tif 000010